(57)【要約】【課題】レコーダーへの記録紙の出し入れがし易い医療用測定装置を提供すること。【解決手段】開閉ケース１１０が、上面部１１０ａと、前面部１１０ｂと、背面部と、一側面部が一体に形成された構成であり、かつ、前後方向の切断面で切ったときに断面がコ字状であり、開状態において、記録紙収容部の上方とともに、記録紙の出し入れ方向に対して側方方向である記録紙収容部の前方及び後方を開口する、ように構成されている。これにより、開閉ケース１１０が開状態においてユーザーの記録紙の出し入れ操作の邪魔にならないので、レコーダーへの記録紙の出し入れがし易くなる。【選択図】図２
2020075461.tif 000002
【特許請求の範囲】
【請求項１】
少なくとも生体情報の取得部及び表示部を有する装置本体部と、
少なくとも記録紙収容部及びサーマルヘッドを有するレコーダー部と、
前記レコーダー部に設けられ、前記記録紙収容部に記録紙を出し入れ可能な開状態と、前記記録紙収容部を閉塞する閉状態と、に遷移可能に回転する開閉ケースと、
を有し、
前記開閉ケースは、上面部と、前面部と、背面部と、一側面部が一体に形成され、前後方向の切断面で切ったときに断面が略コ字状であり、前記開状態において、前記記録紙収容部の上方とともに、前記記録紙の出し入れ方向に対して側方方向である前記記録紙収容部の前方及び後方を開口する、
医療用測定装置。
【請求項２】
前記記録紙収容部の底面に設けられ、前記開閉ケースの回転軸の方向に向かって高くなる傾斜部を、さらに具備する、
請求項１に記載の医療用測定装置。
【請求項３】
前記開閉ケースの回転軸の回転に連動して、前記開閉ケースが開状態のときに前記記録紙収容部に収容されている記録紙の端部をせり上げ、前記開閉ケースが閉状態のときに前記記録紙収容部に収容されている記録紙の端部をせり上げ位置から下降させる、せり上げ部を、さらに具備する、
請求項１又は２に記載の医療用測定装置。
【発明の詳細な説明】
【技術分野】
【０００１】
本発明は、レコーダーを有する医療用測定装置に関する。
【背景技術】
【０００２】
従来、心電計等の医療用測定装置では、心電図の測定や表示を行う装置本体にレコーダーが一体に設けられ、測定結果を記録紙に記録できるようになされたものがある（例えば特許文献１参照）。心電計のレコーダーには、通常、記録紙として折畳紙やロール紙等の連続紙が用いられている。また、心電計では、一般に装置の構成を簡単化・小型化するために、サーマルヘッドを用いた感熱記録方式が採用されている。
【先行技術文献】
【特許文献】
【０００３】
【特許文献１】特開２０１５−１１０４６７号公報
【発明の概要】
【発明が解決しようとする課題】
【０００４】
ところで、特許文献１にも開示されているように、レコーダーへの記録紙の出し入れは、レコーダーの筐体の上面の一部を開けて行うようになっている。このような構成では、記録紙の出し入れがしにくい欠点がある。
【０００５】
本発明は、以上の点を考慮してなされたものであり、レコーダーに記録紙を出し入れしやすい医療用測定装置を提供する。
【課題を解決するための手段】
【０００６】
本発明の医療用測定装置の一つの態様は、
少なくとも生体情報の取得部及び表示部を有する装置本体部と、
少なくとも記録紙収容部及びサーマルヘッドを有するレコーダー部と、
前記レコーダー部に設けられ、前記記録紙収容部に記録紙を出し入れ可能な開状態と、前記記録紙収容部を閉塞する閉状態と、に遷移可能に回転する開閉ケースと、
を有し、
前記開閉ケースは、上面部と、前面部と、背面部と、一側面部が一体に形成され、前後方向の切断面で切ったときに断面が略コ字状であり、前記開状態において、前記記録紙収容部の上方とともに、前記記録紙の出し入れ方向に対して側方方向である前記記録紙収容部の前方及び後方を開口する。
【発明の効果】
【０００７】
本発明によれば、開閉ケースが開状態においてユーザーの記録紙の出し入れ操作の邪魔にならない形状とされているので、レコーダーへの記録紙の出し入れがし易い医療用測定装置を実現できる。
【図面の簡単な説明】
【０００８】
【図１】実施の形態に係る心電計の外観構成を示す斜視図
【図２】図１の心電計の開閉ケースが開状態となったときの心電計の斜視図
【図３】開閉ケースを閉じた状態でのレコーダーの上面図
【図４】開閉ケースを閉じた状態でのレコーダーの前側面図
【図５】図３のＡ−Ａ’断面図
【図６】開閉ケースを開けた状態でのレコーダーの上面図
【図７】開閉ケースを開けた状態でのレコーダーの前側面図
【図８】図６のＡ−Ａ’断面図
【図９】せり上げ部としての突起の形成位置の説明に供する図
【図１０】せり上げ部としての突起の形成位置の説明に供する図
【図１１】開閉ケースを図３のＢ−Ｂ’の面で切ったときの断面図
【図１２】折畳紙の出し入れの説明に供する図
【図１３】比較例の心電図の構成を示す上面図
【発明を実施するための形態】
【０００９】
以下、本発明の実施の形態を、図面を参照して説明する。
【００１０】
＜心電計の全体構成＞
図１及び図２は本発明の実施の形態に係る心電計１０の外観構成を示す斜視図である。より具体的には、図１は開閉ケース１１０を閉じた状態を示す斜視図であり、図２は開閉ケース１１０を開いた状態を示す斜視図である。
【００１１】
図３、図４及び図５は、それぞれ、開閉ケース１１０を閉じた状態での、レコーダー１００の上面図、前側面図及びＡ−Ａ’断面図である。
【００１２】
図６、図７及び図８は、それぞれ、開閉ケース１１０を開けた状態での、レコーダー１００の上面図、前側面図及びＡ−Ａ’断面図である。
【００１３】
図１から分かるように、心電計１０は、大きく分けて、レコーダー１００と装置本体２００とから構成されている。
【００１４】
装置本体２００には、表示部２１０及び操作部２２０等が設けられている。また、装置本体２００の内部には、演算や動作制御を行う制御部や、増幅部、心電用電極等を接続するためのインターフェース部等が設けられている。表示部２１０には、測定結果である心電図等が表示される。なお、測定結果である生体情報は、自装置で演算により取得してもよいし、他装置から受け取って取得してもよい。操作部２２０には、各種のキーや、電源スイッチ、スタート／ストップスイッチ等が設けられている。なお、本実施の形態の心電計１０は、表示部２１０がタッチパネル構成とされており、表示部２１０に各種設定画面や動作メニュー画面を表示し、これを用いて各種設定や動作指示を入力することもできる。
【００１５】
＜レコーダーの構成＞
図１から分かるように、レコーダー１００には、開ボタン１０１、排紙口１０２及び開閉ケース１１０が設けられている。心電図が記録された記録紙は排紙口１０２から排出される。開閉ケース１１０は、ユーザーによって開ボタン１０１が押圧操作されるとロックが解除される。開閉ケース１１０は、ロックが解除された後にユーザーによって開方向に回転されると、図２に示すような開状態となる。
【００１６】
図２から分かるように、レコーダー１００には、サーマルヘッド１２０、プラテンローラー１３０、記録紙収容部１４０等が設けられている。プラテンローラー１３０は、開閉ケース１１０の開端に取り付けられており、開閉ケース１１０が図１に示すような閉状態とされたときにサーマルヘッド１２０に当接し（図５参照）、図２に示すような開状態とされたときにサーマルヘッド１２０から離間する（図８参照）。
【００１７】
図３−図５のように開閉ケース１１０が閉じた状態において、サーマルヘッド１２０とプラテンローラー１３０との間に下方向から折畳紙１等の記録紙が進入し、記録紙はプラテンローラー１３０の回転によって上方向に紙送りされ、これと同時にサーマルヘッド１２０によって感熱記録が行われる。このようにして、折畳紙１等の記録紙に心電図が記録される。
【００１８】
ここで、開閉ケース１１０は回転軸１０３（図４−図８）によって回転自在に軸支されている。開閉ケース１１０は、手動にて回転軸１０３を回転中心として回転させることができるようになっている。開閉ケース１１０の開状態において、ユーザーは、記録紙収容部１４０に折畳紙１やロール紙等の記録紙の出し入れを行うことができる。ロール紙（図示せず）はロール紙取付部１５０に取り付けた状態で記録紙収容部１４０に収容される。折畳紙１は記録紙収容部１４０内に置かれて収容される。開閉ケース１１０は、記録紙収容部１４０に記録紙を出し入れ可能な開状態と、記録紙収容部１４０を閉塞する閉状態と、に遷移可能に回転する。
【００１９】
かかる構成に加えて、図５及び図８から分かるように、記録紙収容部１４０には、傾斜部１６１が設けられている。傾斜部１６１は、開閉ケース１１０の回転軸１０３に向かって高くなるように形成されている。これにより、折畳紙１は、回転軸１０３側の端部に行くに従って高くなる状態で傾斜部１６１に載置される。
【００２０】
また、傾斜部１６１は、回転軸１０３の近くまで延在してはおらず、途中で途切れている。本実施の形態の場合には、図５及び図８から分かるように、傾斜部１６１が形成されている範囲は、折畳紙１の一端から他端の半分以下の範囲である。傾斜部１６１に載置された折畳紙１の一方の端部は開閉ケース１１０の回転軸１０３上に懸架される。これにより、折畳紙１の下方には空間１６２が形成される。
【００２１】
このように傾斜部１６１が回転軸１０３の近くまで延在してはおらず途中で途切れていることにより、折畳紙１の下方には空間１６２が形成される。また、傾斜部１６１がロール紙（図示せず）の邪魔にならないようになっている。
【００２２】
また、開閉ケース１１０の回転軸１０３には、せり上げ部としての突起１０４が形成されている。突起１０４は、回転軸１０３の回転に連動して回転し、図５に示すように開閉ケース１１０が閉状態のときには折畳紙１の下面に当接せず、図８に示すように開閉ケース１１０が開状態のときには、折畳紙１の下面に当接して折畳紙１の端部をせり上げるようになっている。これにより、開閉ケース１１０が開状態のとき、折畳紙１の下方には、開閉ケース１１０が閉状態のときよりもより大きな空間１６２が作られる。
【００２３】
本実施の形態の場合、突起１０４は、図９に示すように、回転軸１０３の中央部の外周の一部に形成されている。また、突起１０４は、図１０に示すように、回転軸１０３の両端付近の外周の一部に形成してもよい。ここで、突起１０４は、回転軸１０３の軸方向（回転軸１０３の長手方向と言ってもよい）の全体に亘って形成してもよいが、図９や図１０に示したように、回転軸１０３の軸方向の一部にのみ形成することが好ましい。何故なら、図８に示したように突起１０４による折畳紙１のせり上げた時に、突起１０４が形成されていない範囲において、折畳紙１の下面と回転軸１０３の上面との間に隙間が形成され、ユーザーはこの隙間に図８の左方向から指を差し込んで折畳紙１を引っ張り出すことができるようになるからである。
【００２４】
勿論、ユーザーは折畳紙１の側面方向（つまり心電計１０の前後方向）から空間１６２に指を差し込んで折畳紙１の出し入れを行うこともできる。このとき本実施の形態の構成では、突起１０４によって折畳紙１がせり上げられて、空間１６２が大きくされているので、ユーザーは折畳紙１を把持しやすくなる。
【００２５】
また、本実施の形態の場合、開閉ケース１１０は、上面部１１０ａと、前面部１１０ｂと、背面部１１０ｃと、一側面部１１０ｄが一体に形成され、これらが一体に回転されるようになっている。また、開閉ケース１１０は、前後方向の切断面で切ったときの断面（つまり開閉ケース１１０を図３のＢ−Ｂ’の面で切ったときの断面）が図１１に示したように、コ字状である。
【００２６】
これにより、開閉ケース１１０は、図２及び図７に示したように、開状態において、記録紙収容部１４０の上方とともに、記録紙（折畳紙１）の出し入れ方向に対して側方方向である記録紙収容部１４０の前側及び後側を開口する。簡単に言うと、開閉ケース１１０が開状態とされると、記録紙収容部１４０の全方向が開口される。この結果、レコーダー１００への記録紙の出し入れがし易くなる。
【００２７】
図１３は、本実施の形態に対する比較例である。なお、図１３の心電計２０は、特許文献１に記載された心電計である。心電計２０は、レコーダーの筐体の上面の一部に回転自在の開閉蓋２１が設けられている。記録紙の出し入れを行う際には、開閉蓋２１が開状態とされる。しかし、開閉蓋２１が開状態とされても、レコーダーの筐体を形成するケース前面２２及びケース背面２３は依然として存在する。
【００２８】
よって、本実施の形態の構成と比較して比較例の構成では、ケース前面２２及びケース背面２３が邪魔となって記録紙の出し入れがしにくい。特に、本実施の形態の構成では、開閉ケース１１０を開状態としたときに、折畳紙１の出し入れ方向に対して側方方向である記録紙収容部１４０の前方及び後方が開口されるので（つまりケース前面２２及びケース背面２３が存在しないので）、図１２に示したように、ユーザーが折畳紙１の側面を両手で把持ながら折畳紙１を記録紙収容部１４０から出し入れできるようになる。因みに、図１３の構成では、ケース前面２２及びケース背面２３が手に当たるのでこのような出し入れ操作は困難である。
【００２９】
また、本実施の形態の開閉ケース１１０においては、開閉ケース１１０が開状態となると、ロール紙取付部１５０も大きく露出されるので、ロール紙取付部１５０へのロール紙の装脱も容易に行うことができるようになる。
【００３０】
＜効果＞
以上説明したように、本実施の形態によれば、開閉ケース１１０が、上面部１１０ａと、前面部１１０ｂと、背面部１１０ｃと、一側面部１１０ｄが一体に形成された構成であり、かつ、前後方向の切断面で切ったときに断面がコ字状であり、開状態において、記録紙収容部１４０の上方とともに、記録紙の出し入れ方向に対して側方方向である記録紙収容部１４０の前方及び後方を開口する、ように構成されている。
【００３１】
これにより、開閉ケース１１０が開状態においてユーザーの記録紙の出し入れ操作の邪魔にならない形状とされているので、レコーダー１００への記録紙の出し入れがし易い心電計１０を実現できる。また、図１３に示したようなレコーダーの筐体の一部が開閉する形状と比較して、開閉ケース１１０はレコーダーの筐体のうち底面を除く上面、前面、背面及び一側面が一体となった形状とされているので、レコーダーの筐体の強度が強くなる。また、図１３に示したようなレコーダーの筐体の一部が開閉する形状と比較して、開閉ケース１１０は上面で筐体が分割されていないので分割部分の溝にゴミが溜まる等の不都合が生じない。
【００３２】
さらに、記録紙収容部１４０に、開閉ケース１１０の回転軸１０３の方向に向かって高くなる傾斜部１６１を設け、折畳紙１の下方に空間１６２を作るようにしたことにより、ユーザーが空間１６２に指を差し込んで折畳紙１の出し入れを行うことができるようになる。この結果、レコーダー１００への折畳紙１の出し入れがより容易となる。
【００３３】
さらに、開閉ケース１１０の回転軸の回転に連動して、開閉ケース１１０が開状態のときに記録紙収容部１４０に収容されている記録紙（折畳紙１）の端部をせり上げ、開閉ケース１１０が閉状態のときに記録紙収容部１４０に収容されている記録紙（折畳紙１）の端部をせり上げ位置から下降させる、せり上げ部としての突起１０４を設けたことにより、開閉ケース１１０が開状態とされたときに突起１０４によって空間１６２がより大きくされる。この結果、ユーザーは空間１６２により指を差し込みやすくなり、レコーダー１００への折畳紙１の出し入れがより容易となる。さらに、ユーザーは折畳紙１の回転軸１０３側の端部からも指を差し込むことができるようになるので、折畳紙１の出し入れがより容易となる。
【００３４】
＜他の実施の形態＞
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００３５】
上述の実施の形態に加えて、折畳紙１が記録紙収容部１４０に収容されたときの折畳紙１の側方に存在する側壁に、上下方向に貫通する長孔等を形成してもよい。このようにすれば、ユーザーは空間１６２と長孔とに指を差し込んで折畳紙１の出し入れを容易に行うことができるようになる。
【００３６】
上述の実施の形態では、本発明を心電計に適用した場合について述べたが、これに限らず、連続紙に生体情報を印字するレコーダーを有する医療用測定装置に広く適用可能である。例えば、レコーダーを有する脳波計、脈波計、ポリグラフ、生体情報モニター等にも適用可能である。
【産業上の利用可能性】
【００３７】
本発明は、レコーダーを有する医療用測定装置に広く適用し得る。
【符号の説明】
【００３８】
１  折畳紙
１０、２０  心電計
１００  レコーダー
１０１  開ボタン
１０２  排紙口
１０３  回転軸
１０４  突起
１１０  開閉ケース
１１０ａ  上面部
１１０ｂ  前面部
１１０ｃ  背面部
１１０ｄ  一側面部
１２０  サーマルヘッド
１３０  プラテンローラー
１４０  記録紙収容部
１５０  ロール紙取付部
１６１  傾斜部
１６２  空間
２００  装置本体
２１０  表示部
２２０  操作部
【図１】
2020075461.tif 000003
【図２】
2020075461.tif 000004
【図３】
2020075461.tif 000005
【図４】
2020075461.tif 000006
【図５】
2020075461.tif 000007
【図６】
2020075461.tif 000008
【図７】
2020075461.tif 000009
【図８】
2020075461.tif 000010
【図９】
2020075461.tif 000011
【図１０】
2020075461.tif 000012
【図１１】
2020075461.tif 000013
【図１２】
2020075461.tif 000014
【図１３】
2020075461.tif 000015